(57)【要約】【課題】一定量の水を貯留するための水位検出装置において、フロートに容易に除菌効果を持たせ、かつ長期間にわたってその効果が持続し、同時に水中の帯電物質を低減する方法を提供することを目的とする。【解決手段】フロート１１は、発泡樹脂の周囲に枠１２を備え、フロート１１の内側に設けたマグネットの磁力で水位検出スイッチがＯＮ／ＯＦＦになる。フロート１１の周囲に、表面に微小な電場を形成し菌を引き寄せる除菌材料を配することにより、長期間にわたって水槽内での菌の繁殖や汚れの滞留を抑制でき、さらに水中の帯電物質を低減することができる、除菌効果を有する水位検出装置を提供することができる。【選択図】図１
2008082604.tif 000002
【特許請求の範囲】
【請求項１】
水槽に貯水した水の水位を検出する水位検出装置において、フロートが、微小な電場を形成し菌を引き寄せる除菌手段を備えることを特徴とする水位検出装置。
【請求項２】
除菌手段が、水中の帯電物質を引き寄せることを特徴とする請求項１記載の水位検出装置。
【請求項３】
除菌手段が、導電性材料と金属材料との混合材料を含むことを特徴とする請求項１または２記載の水位検出装置。
【請求項４】
フロートの表面に除菌材料を塗布したことを特徴とする請求項１乃至３いずれかに記載の水位検出装置。
【請求項５】
フロートの周囲にシート状の除菌材料を配したことを特徴とする請求項１乃至４いずれかに記載の水位検出装置。
【請求項６】
フロートが中空の球状であることを特徴とする請求項１乃至５いずれかに記載の水位検出装置。
【請求項７】
フロートが中空の球を多数用いてなることを特徴とする請求項１乃至６いずれかに記載の水位検出装置。
【請求項８】
フロートが中空円筒形状であることを特徴とする請求項１乃至５いずれかに記載の水位検出装置。
【請求項９】
フロートが三次元網目構造体からなることを特徴とする請求項１乃至５いずれかに記載の水位検出装置。
【請求項１０】
フロートが中空の球であり、その周囲に三次元網目構造の除菌部材を配することを特徴とする請求項１乃至７いずれかに記載の水位検出装置。
【請求項１１】
フロートの下部にのみ除菌材料を担持することを特徴とする請求項１乃至１０いずれかに記載の水位検出装置。
【請求項１２】
請求項１乃至１１いずれかに記載の水位検出装置を水槽に配置することを特徴とする加湿装置。
【発明の詳細な説明】
【技術分野】
【０００１】
本発明は、一定量の水を貯留する水槽に使用される水位検出装置に関する。
【背景技術】
【０００２】
従来、この種の水位検出装置には、フロートが、一端を支点に上方に回動できるものがある（例えば、特許文献１参照）。
【０００３】
以下、その水位検出装置について図９を参照しながら説明する。図９に示すように、加湿機の水槽ユニット１０１は、フロート１０２を有する。フロート１０２は、一端を支点に上方に回動できるため、水槽ユニット１０１の清掃を行う際には、フロート１０２の直下底面の清掃が容易である。
【０００４】
また、フロートが、水槽から突出した突起部に貫通し、給水タンクの給水口周囲に立設する環状リブに密接するものがある（例えば、特許文献２参照）。
【０００５】
以下、その水位検出装置について図１０を参照しながら説明する。図１０に示すように、加湿機の水槽２０１上方に設置された給水タンク２０２の給水口２０３周囲には、環状リブ２０４が垂設されている。また、水槽２０１中の、給水タンク２０２の止水弁２０５に対面する位置に設けられた突起部２０６が止水弁２０５を押し上げることにより給水タンク２０２から水槽２０１へ水を供給する。突起部２０６の外周には、中空円盤状のフロート２０７が上下可動に設けられている。
【０００６】
また、この種の水位検出装置には、フロートの外表面に殺菌性金属が突設されたものも知られている（例えば、特許文献３参照）。
【０００７】
以下、その水位検出装置について図１１を参照しながら説明する。図１１に示すように、超音波加湿機３０１は霧化水槽３０２を有する。霧化水槽３０２内の水位が所定高さにある場合、フロート３０３とスイッチ３０４からなる水位検出装置により超音波振動子スイッチがＯＮになる。また、フロート３０３の外表面には、殺菌性金属が多数密に突設されている。
【特許文献１】特開２００２−０６１９０１号公報
【特許文献２】特開平０５−１１３２３６号公報
【特許文献３】実開昭６３−０５７４４４号公報
【発明の開示】
【発明が解決しようとする課題】
【０００８】
このような従来の水位検出装置では、水槽ユニット内にフロート配置部を特設するために、タンクから供給された水が加湿部へ流れ込む際に、フロート付近では水の流れが滞りやすいという課題があり、清掃の容易さに加え、滞留した水中での菌の繁殖や汚れの滞留を防止することが要求されている。
【０００９】
また、水槽内の突起部にフロートが設けられた水位検出装置では、タンクキャップとフロートが接することにより、水槽と給水タンクの水の行き来はなく、水槽で繁殖した菌がタンクに逆流して汚染されることはないが、菌の繁殖は不快なにおいやぬめりの発生の原因となるため、清潔に保つためには水槽に菌が繁殖していないことが要求されている。
【００１０】
また、フロート外表面に殺菌性金属が突設された水位検出装置では、作成方法として、殺菌性金属をフロート成形用の金型の成形面全体に散布しておくという方法の記載があるが、金型に散布する場合、フロートの一部分に選択的に除菌効果を持たせたり、フロートに担持する金属量を制御したりすることが困難で、より容易に水位検出装置に除菌効果を持たせる方法が要求されている。また、殺菌性金属は、金属イオンの溶出によって除菌効果を得るものであるが、表面の金属が水中の塩類と反応して不溶性の化合物になり、金属イオンの溶出が阻害されるため、除菌効果が持続しないという課題があった。また、超音波加湿機などにより水滴を雰囲気中に排出する場合は、水中の無機物質が水とともに飛ばされて白い粉となって雰囲気を汚染するという課題があり、白い粉の原因となるＣａ、Ｍｇなどの帯電物質を低減する方法が求められている。
【００１１】
本発明は、このような従来の課題を解決するものであり、水槽内での菌の繁殖や汚れの滞留を抑制することができ、除菌効果が持続し、水中の帯電物質を低減することができる水位検出装置と、容易にその効果を水位検出装置に持たせる方法を提供することを目的としている。
【課題を解決するための手段】
【００１２】
本発明の水位検出装置は上記目的を達成するために、水槽に貯水した水の水位を検出する水位検出装置において、フロートが、表面に微小な電場を形成し菌を引き寄せる除菌手段を備えることを特徴とするものであり、水槽内での菌の繁殖や汚れの滞留を抑制することができ、除菌効果が持続し、水中の帯電物質を低減でき、また、容易にその効果を水位検出装置に持たせることができる。
【００１３】
また、フロートが備える除菌手段が、水中の帯電物質を引き寄せることを特徴とする。
【００１４】
また、除菌手段が、導電性材料と金属材料との混合材料を含むことを特徴とする。
【００１５】
また、フロートの表面に除菌材料を塗布したことを特徴とする。
【００１６】
また、フロートの周囲にシート状の除菌材料を配したことを特徴とする。
【００１７】
また、フロートが中空の球状であることを特徴とする。
【００１８】
また、フロートが中空の球を多数用いてなることを特徴とする。
【００１９】
また、フロートが中空円筒形状であることを特徴とする。
【００２０】
また、フロートが三次元網目構造体からなることを特徴とする。
【００２１】
また、フロートが中空の球であり、その周囲に三次元網目構造の除菌部材を配することを特徴とする。
【００２２】
また、フロートの下部にのみ除菌材料を担持することを特徴とする。
【００２３】
また、加湿装置の水槽に、本発明の水位検出装置を水槽に配置することを特徴とする。
【発明の効果】
【００２４】
本発明によれば、フロートが、表面に微小な電場を形成し菌を引き寄せる除菌手段を備えることにより、水槽内での菌の繁殖や汚れの滞留を抑制することができ、その効果が持続し、水中の帯電物質を低減できる水位検出装置、および、その効果を容易に水位検出装置に持たせることができる方法を提供できる。
【発明を実施するための最良の形態】
【００２５】
本発明の請求項１記載の発明は、水槽に貯水した水の水位を検出する水位検出装置において、フロートは、水の増減にともなって水槽中を上下動するために、貯水した水を撹拌させながら水を除菌することができる。また、水面に浮かんでいるため、水中に沈んでいる場合に比べて取り外して洗浄することが容易であるという作用を有する。また、水槽の床面積が広い場所には除菌部材を別途配置することができるが、通常の水位検出装置としてのフロート付近は、水槽内でも入り組んだ形状をしているために除菌部材を配置することが難しい。しかし、フロート自身に除菌性能を持たせることで、水槽全体を衛生的に保つことができる。また、除菌効果が、水中の帯電物質を引き寄せることを金属イオンの溶出によらずに得られるために、効果が持続するという作用を有する。また、水中の帯電物質を引き寄せ低減することができる。また、材料を塗布したり貼り付けたりすることで、容易にその効果を水位検出装置に持たせることができる。
【００２６】
また、フロートが備える除菌手段が、水中の帯電物質を引き寄せることを特徴とするものであり、超音波加湿機などにより水滴を雰囲気中に排出する場合に、水とともに飛ばされて白い粉となって雰囲気を汚染するＣａ、Ｍｇなどの陽性イオン物質やＣｌ、ＯＮ３などの陰性イオン物質などを、除菌手段が形成する微小な電場によって低減するという効果が得られる。また、水中でマイナスに帯電している菌類やカビ胞子などを捕集することができるという作用を有する。
【００２７】
また、除菌手段が、導電性材料と金属材料との混合材料を含むことを特徴とするものであり、除菌手段表面に形成された微小な電場に、菌が引き寄せられ殺菌されるという作用を有する。
【００２８】
また、フロートの表面に除菌材料を塗布したことを特徴とするものであり、加工が容易であり、特定の部分にだけ塗布して効果を得るなどの自由度があり、容易に水位検出装置に除菌性能を持たせることができる。
【００２９】
また、フロートの周囲にシート状の除菌材料を配したことを特徴とするものであり、除菌材料を直接塗布できない場合でも、容易に水位検出装置に除菌性能を持たせることができる。
【００３０】
また、フロートが中空の球状であることを特徴とするものであり、水位検出装置の表面に除菌材料を担持しやすいという作用を有する。また、中空なので軽量なフロートを得ることができる。
【００３１】
また、フロートが中空の球を多数用いてなることを特徴とするものであり、除菌材料と菌との接触面積が増大するという作用を有する。同じ体積であれば、中空の球の粒子径を小さくすることで、より除菌材料と菌との接触面積は増大し、除菌効果が高まる。
【００３２】
また、フロートが中空円筒形状であることを特徴とするものであり、給水タンクの水出口に設置されている弁を押すための突起部に、中空円筒形状のフロートを装着できるという作用を有する。これにより、給水タンクから水槽に供給される水は、必ず除菌材料に触れるため、タンク内の水に菌が存在した場合でも、水槽には殺菌された水が供給できるという効果が得られる。
【００３３】
また、フロートが三次元網目構造体からなることを特徴とするものであり、除菌材料と菌との接触面積が増大するという作用を有する。
【００３４】
また、フロートが中空の球であり、その周囲に三次元網目構造の除菌部材を配することを特徴とするものであり、除菌面積が増大するという作用を有する。また、中空の球がフロートとして働くので、三次元網目構造の部材が水に浮く材質でなくても良いという作用を有する。さらに、三次元網目構造の除菌部材のみ交換することも可能である。
【００３５】
また、フロートの下部にのみ除菌材料を担持することを特徴とするものであり、塗布した部分のみが重くなり自然に水面下に沈むという作用を有する。これにより、除菌部分が常に水面下で効果を発揮するという効果が得られる。
【００３６】
また、加湿装置の水槽に除菌手段を備える水位検出装置を配置することを特徴とするものであり、給水タンクから水槽に供給される水は除菌材料に触れるため、給水タンクの水が汚染されている場合でも水槽にきれいな水を貯水できるという作用を有する。
【００３７】
以下、本発明の実施の形態について図面を参照しながら説明する。
【００３８】
（実施の形態１）
図１に示すように、フロート１１は、発泡樹脂の周囲に枠１２を設けてなる。フロート１１の内側には、図示しないがマグネットが設けられ、マグネットの磁力で水位検出スイッチがＯＮ／ＯＦＦになる仕組みである。フロート１１の周囲には、シート状の除菌材料１３を配している。表面に微小な電場を形成し菌を引き寄せる除菌材料を構成する材料は、たとえば、樹脂に導電性材料と金属材料とを分散させ、互いに導通させることで得ることができる。樹脂としてはポリエチレン、ポリプロピレン、ポリスチレン、ＡＢＳ、ポリエステル、ナイロン、アクリル、ウレタン、シリコーン、フッ素などが挙げられ、一般的な樹脂成形が可能なものから選択して使用できる。また、導電性材料としては、黒鉛やカーボンブラックなどが挙げられる。
【００３９】
また、炭素繊維、フラーレン、カーボンナノチューブ、カーボンナノホーン、カーボンマイクロコイル、カーボンナノコイルなどは、樹脂の強度向上や軽量化、電磁波対策の目的などで樹脂に添加されることが多いが、その導電性を利用して本発明の導電性材料として利用することも可能である。また、導電性材料を樹脂エマルジョンに分散させたものが市販されており、これらの材料は入手するのは容易である。また、金属材料としては、酸化還元電位の異なる２種類の金属粉や金属繊維を組み合わせたり、それ自身に抗菌性を有する金属を用いたりすることができる。酸化還元電位とは、２種類の金属電極を組み合わせたときに生じる電位差のことであり、各金属の水素電極を基準として求めた標準電極電位から計算することができる。酸化還元電位の異なる２種類の金属材料を組み合わせて抗菌性材料とした場合は、これらの金属間に微弱な電位差が生じているために、表面電荷をもつ菌が、電場の強い金属の存在する場所に密集しやすくなり、菌の活動が抑制される。
【００４０】
ただし、２種類の金属材料の電位差が、水の電気分解開始電圧である１．２Ｖ以上になると、水素を発生するため、好ましくない。金属材料の例としては、Ａｕ、Ｐｔ、Ａｇ、Ｃｕ、Ｐｂ、Ｎｉ、Ｓｂ、Ｃｏ、Ｗ、Ｆｅ、Ｓｎ、Ｃｒ、Ｚｎ、Ｖ、Ａｌ、Ｔｉ、Ｚｒ、Ｍｇ、これらの合金などが挙げられる。除菌材料が、導電性材料と２種類の金属材料を含むとき、金属間での電池構造が形成しやすくなるため、除菌効果は向上する。除菌材料が樹脂に分散されていれば、ＰＥＴなどの樹脂フィルム上に塗布したとき、密着しやすく、シート状に成形することが容易である。除菌材料をシート状に成形すれば、フロートがどのような材質であっても、貼り付けることにより、除菌性能を有するフロートとして機能させることができるようになる。
【００４１】
（実施の形態２）
図２に示すように、フロート２１は、中空の球状をしており、その表面には、下部にのみ選択的に除菌材料２２を塗布している。フロート２１には支持棒２３が付いており、その先端に設けたマグネット２４により水位検出スイッチがＯＮ／ＯＦＦになる仕組みである。なお、マグネット２４を設ける位置は、とくに指定はせず、フロート２１の先端など、水槽の配置によって最適な位置を選べばよい。樹脂に分散させた除菌材料を塗布する方法は、有機溶剤で希釈することで、いろいろな箇所への塗布が容易になる。除菌材料を塗布するフロートの材質は、耐溶剤性のものがよい。たとえば、ＰＥＴ、ＡＢＳ、ＰＥ、フッ素樹脂などの、耐溶剤性のある樹脂材料をブロー成形したものを基材に選べば、中空の球といった形状も容易に作成できて良い。また、装置の仕様にあわせて、立方体やフットボール型などの球でない中空形状に変更しても効果に差異を生じない。
【００４２】
（実施の形態３）
図３に示すように、フロート３１には枠３２が設けられており、その内部には多数の中空の球３３が詰められている。中空の球３３への除菌材料塗布方法としては、成形された球に、樹脂に分散させてなる除菌材料を塗布する方法がある。塗布する場合は、フロートの一部や、水に触れる部分のみなど、選択して除菌材料を担持することができるというメリットがある。また、基材を除菌材料の中に浸漬し、乾燥させて担持する方法もある。この方法では、複雑な形状の基材にも均一な塗布が可能である。多量の基材を一度に加工することも可能であるというメリットもある。また、あらかじめ基材に練りこんでから球を成形する方法もある。この方法では、後処理による除菌材料担持の必要がなく、加工も容易であるというメリットがある。
【００４３】
（実施の形態４）
図４に示すように、フロート４１は、中空円筒形状をしている。図示しないが、中空円筒の内部にはマグネットを設けている。水位検出スイッチは、水槽内に設けた柱４２の内部に設けている。フロートが中空円筒形状であれば、たとえば加湿装置の水槽に給水タンクから一定量の水を供給し貯留する場合、図５に一例を示すように、給水タンクの出口にフロート４１を配することも可能である。このとき、給水タンクから水槽４３に供給される水は、タンク出口において必ず除菌材料を含むフロート４１に触れるため、除菌効果を得られやすい。超音波加湿機のように、水滴を雰囲気中に排出する場合でも、水中に含まれるＣａ、Ｍｇなどの陽性イオン物質を除菌材料表面にひきつけるため、超音波振動子４４の設置された加湿部へは陽性イオンの除去された水が供給され、Ｃａ、Ｍｇなどの化合物が白い粉となって雰囲気を汚染するといった問題が低減できる。給水タンク内の水が菌を含んでいた場合にも、フロート部を通過することにより水は除菌される。加湿装置の水槽におけるフロート部の配置の仕方としては、給水タンクの出口に限定しない。
【００４４】
（実施の形態５）
図６に示すように、フロート６１は中空の球状をしていて、その周囲に三次元網目構造の除菌材料６２を配してなる。三次元網目構造体としては、発泡形状や繊維を絡めた形状などがあり、たとえば発泡形状としては発泡樹脂など、繊維を絡めた形状であればスチールウールなどが一例として挙げられる。三次元網目構造の場合、平面に比べて同じ体積であっても菌と除菌材料との接触面積が大きいため、除菌効果が増大する。また、網目が細かい場合、中には微細な空気穴があるために、それ自体がフロートになりうる。一方、網目が粗い場合は、三次元構造の内部まで、除菌材料を浸透させることが容易である。網目が粗い三次元構造体を水中に浸した場合は、内部まで水が浸透し、それ自身は浮かなくなるが、中心部に中空の球や箱状のものを配置すれば、フロートとなる。さらに、外側の除菌材料を含む三次元構造体のみ新しいものに交換することも可能であり、除菌効果を維持することができる。
【００４５】
以下、本発明を実施例にて詳細に説明する。
【実施例１】
【００４６】
（１）金属として平均粒子径５０μｍの亜鉛粉末と、市販の導電性カーボン塗料（導電性のカーボンとポリエステル樹脂を溶剤に分散させたもの）とを、亜鉛とカーボンの重量比が１１：５になる割合でよく混練してペースト状にし、除菌材料を作成した。作成した除菌材料をＰＥＴフィルムに塗布し、６０℃で１時間乾燥させることによってＺｎ含有Ｃシートを作成した。
【００４７】
（２）次に、金属を７５〜１５０μｍの銅粉末に変更した以外は（１）と同様の方法でＣｕ含有Ｃシートを作成した。
【００４８】
（３）金属の代わりに金属酸化物である０．１〜０．３μｍのＴｉＯ2粉末を添加した以外は（１）と同様の方法で、比較用ＴｉＯ2含有Ｃシートを作成した。
【００４９】
（４）さらに金属を混合せず、市販の導電性カーボン塗料をＰＥＴフィルムに塗布し、６０℃で１時間乾燥させることによって比較用Ｃシートを作成した。
【００５０】
前記（１）〜（４）のシートの比抵抗は１×１０-1〜１０-3（Ω・ｃｍ）であり良好な導電性を示した。作成した（１）〜（４）のシートをそれぞれ直径８５ｍｍ（約５７ｃｍ2）の円形に切り取り、導電性カーボン塗料の塗布面が上向きになるようにプラスチックシャーレ内に置いた。精製水で４００倍に希釈した普通ブイヨン培地に、大腸菌  （Ｅｓｈｅｒｉｃｈｉａ  ｃｏｌｉ，ＩＦＯ３９７２）が１０5（ｃｆｕ／ｍｌ）になるように添加した菌液を作成した。菌液をそれぞれ２０ｍｌずつプラスチックシャーレに入れ、一定時間ごとに０．１ｍｌの液を採取して培養することにより、菌数の変化を比較した。
【００５１】
結果を図７に示す。ＣｕおよびＺｎ金属を添加したシートでは菌数の減少が見られ、抗菌効果があるといえる。特にＣｕを添加したＣｕ含有Ｃシートでその効果が強くみられた。一方、比較用ＴｉＯ2含有Ｃシートでは菌数の減少はわずかであり、金属を添加したものとは明らかに効果の差がみられた。金属酸化物である比較用ＴｉＯ2含有Ｃシートでは、比較用Ｃシートよりも若干菌数が少なくＴｉＯ2粒子への吸着作用があるものと思われるが、抗菌作用があるとはいえない。
【実施例２】
【００５２】
平均粒子径５０μｍの亜鉛粉末と、粒子径７５〜１５０μｍの銅粉末と、市販の導電性カーボン塗料（導電性のカーボンとポリエステル樹脂を溶剤に分散させたもの）とを重量比１：１０：５となるように混合し、除菌材料を作成した。これを、三次元網目構造体である発泡ウレタン基材に含浸し、除菌ウレタンを作成した。同様に、ＰＥＴフィルム上に塗り広げた除菌シートを作成し、これらの除菌ウレタンおよび除菌シートを内寸３５×６４×１１ｍｍのプラスチック容器に敷き詰めた。精製水で４００倍に希釈した普通ブイヨン培地に、大腸菌  （Ｅｓｈｅｒｉｃｈｉａ  ｃｏｌｉ，ＩＦＯ３９７２）が１０3（ｃｆｕ／ｍｌ）になるように添加した菌液を作成した。この菌液を２．４ｍｌ／ｍｉｎの速度でプラスチック容器内を８時間通過させ、一定時間ごとに０．１ｍｌの液を採取して培養することにより、菌数の変化を比較した。
【００５３】
結果を図８に示す。除菌材料を含まないブランクとしてのプラスチック容器内では、菌は抑制されず、数時間後も初期菌数をほぼ維持していたのに対し、除菌ウレタンおよび除菌シートでは、菌数の減少が認められた。さらに、同じ容積のプラスチック容器で試験を行ったが、三次元網目構造である除菌ウレタンと、平面である除菌シートとを比較すると、除菌ウレタンのほうが菌数の減少が速い。三次元網目構造は、菌と除菌材料との接触面積が多いために、より効率が良いといえる。
【実施例３】
【００５４】
平均粒子径５０μｍの亜鉛粉末と、粒子径７５〜１５０μｍの銅粉末と、市販の導電性カーボン塗料（導電性のカーボンとポリエステル樹脂を溶剤に分散させたもの）とを重量比１：１０：５となるように混合し、除菌材料を作成した。これを、ＰＥＴフィルム上に塗り広げ、６０℃で約１時間乾燥させることにより、シート状の除菌材料を作成した。
【００５５】
気化フィルタを用いる家庭用加湿装置には、気化フィルタ近傍の水を除菌するための部材を設置しているものがある。一例として、ＦＥ−ＫＬＢ０５（松下電器産業）の水槽内には、気化フィルタの下部の貯水部に除菌ユニットが設けられている。しかし、水槽内にフロート配置部を特設しているため、タンクから供給された水が加湿部へ流れ込む際に、フロート付近では水の流れが滞りやすい。この機種を連続して運転した後の貯水中菌数を測定したところ、気化フィルタ近傍では１０（ｃｆｕ／ｍｌ）未満であったが、フロート付近では１０5（ｃｆｕ／ｍｌ）以上の高い菌数を確認した。そこで、シート状の除菌材料をフロートの周囲を囲むように配置したところ、約８時間の運転後にはフロート付近の水の流れが滞りやすい場所でも、菌は９９％以上低減されていた。すなわち、フロートの設置によって水槽内を入り組んだ形状にする必要がある場合でも、本発明によれば、除菌効果を持たせることができる。
【産業上の利用可能性】
【００５６】
水槽の水位検出装置において、フロートが、表面に微小な電場を形成し菌を引き寄せる除菌材料を含むことにより、水槽内での水の滞留による菌の繁殖や汚れを抑制することができ、家庭用・業務用加湿装置や、貯水式温水洗浄便座、食器洗浄乾燥機、洗濯機など、水槽中に一定量の水を貯水する際の除菌用途に適用できる。
【図面の簡単な説明】
【００５７】
【図１】本発明の実施の形態１のフロートを示す概略斜視図
【図２】本発明の実施の形態２のフロートを示す概略斜視図
【図３】本発明の実施の形態３のフロートを示す概略斜視図
【図４】本発明の実施の形態４のフロートを示す概略斜視図
【図５】同加湿装置におけるフロートおよび水槽の一例を示す概略断面図
【図６】本発明の実施の形態５のフロートを示す概略斜視図
【図７】本発明の実施例１のフィルムを構成する材料と除菌効果の関係を示す図
【図８】本発明の実施例２の除菌材料を塗布する基材と除菌効果の関係を示す図
【図９】従来例の加湿装置における水槽を示す概略斜視図
【図１０】従来例の加湿装置の概略断面図
【図１１】従来例の加湿装置の概略断面図
【符号の説明】
【００５８】
１１    フロート
１２    枠
１３    除菌材料
２１    フロート
２２    除菌材料
２３    支持棒
２４    マグネット
３１    フロート
３２    枠
３３    中空の球
４１    フロート
４２    柱
４３    水槽
４４    超音波振動子
６１    フロート
６２    除菌材料
１０１  水槽ユニット
１０２  フロート
２０１  水槽
２０２  給水タンク
２０３  給水口
２０４  環状リブ
２０５  止水弁
２０６  突起部
２０７  フロート
３０１  超音波加湿機
３０２  霧化水槽
３０３  フロート
３０４  スイッチ
【図１】
2008082604.tif 000003
【図２】
2008082604.tif 000004
【図３】
2008082604.tif 000005
【図４】
2008082604.tif 000006
【図５】
2008082604.tif 000007
【図６】
2008082604.tif 000008
【図７】
2008082604.tif 000009
【図８】
2008082604.tif 000010
【図９】
2008082604.tif 000011
【図１０】
2008082604.tif 000012
【図１１】
2008082604.tif 000013